(57)【要約】【課題】管状又は棒状をなす取付け対象物の外面に、簡単に取り付けることのできる外装部材を提供する。【解決手段】管状のフィラーパイプＰ（取付け対象物）に対し、その外周面を覆うように取り付けられる外装部材１０は、フィラーパイプＰの軸線方向と略平行に延びた形態であり、フィラーパイプＰの外周面に対して接近・離間するような弾性変形が可能な支持部１１と、支持部１１の側縁１２からフィラーパイプＰを包囲するように周方向に沿って片持ち状に延出した形態であり、フィラーパイプＰの軸線方向に間隔を空けて配置され、互いに独立して拡径するような弾性変形が可能な複数の弾性保持片１２とを備える。【選択図】図１
2015129568.tif 000002
【特許請求の範囲】
【請求項１】
管状又は棒状をなす取付け対象物に対し、その外周面を覆うように取り付けられる外装部材であって、
前記取付け対象物の軸線方向と略平行に延びた形態であり、前記取付け対象物の外周面に対して接近・離間するような弾性変形が可能な支持部と、
前記支持部の側縁から前記取付け対象物を包囲するように周方向に沿って片持ち状に延出した形態であり、前記取付け対象物の軸線方向に間隔を空けて配置され、互いに独立して拡径するような弾性変形が可能な複数の弾性保持片とを備えて構成されていることを特徴とする外装部材。
【請求項２】
前記複数の弾性係止片が、前記支持部材の両方の前記側縁から互いに反対方向へ延びるように形成されていることを特徴とする請求項１記載の外装部材。
【請求項３】
前記複数の弾性保持片がスリットを介して隣り合うように軸線方向に並列して配置されていることを特徴とする請求項１又は請求項２記載の外装部材。
【請求項４】
前記弾性保持片の延出端部が、前記取付け対象物の外周面に設けたストッパに対し周方向又は軸線方向に係止可能となっていることを特徴とする請求項１ないし請求項３のいずれか１項に記載の外装部材。
【請求項５】
前記弾性保持片の延出端部に、前記取付け対象物の外周面から離間するように外向きに曲げた形態の誘導部が形成されていることを特徴とする請求項１ないし請求項４のいずれか１項に記載の外装部材。
【発明の詳細な説明】
【技術分野】
【０００１】
本発明は、外装部材に関するものである。
【背景技術】
【０００２】
特許文献１には、排気管における共振や異音の発生を防止する手段として、排気管に対しその外周を覆うように取り付けられるインシュレータが開示されている。インシュレータは、排気管を挟むように合体させた略半円形の２枚の固定プレートによって構成されている。
【先行技術文献】
【特許文献】
【０００３】
【特許文献１】特開平０９−０３２５４６号公報
【発明の概要】
【発明が解決しようとする課題】
【０００４】
特許文献１のインシュレータは、２枚の固定プレートを合体した状態に固定する手段として、ボルトとナットを用いた締付け手段が用いられているため、固定作業に手間が掛かる。特に、インシュレータが長尺である場合には、ボルトとナットの数が増えるため、締付け作業の工数も増し、更に、作業性が低下することになる。
【０００５】
本発明は上記のような事情に基づいて完成されたものであって、管状又は棒状をなす取付け対象物の外面に、簡単に取り付けることのできる外装部材を提供することを目的とする。
【課題を解決するための手段】
【０００６】
本発明の外装部材は、
管状又は棒状をなす取付け対象物に対し、その外周面を覆うように取り付けられる外装部材であって、
前記取付け対象物の軸線方向と略平行に延びた形態であり、前記取付け対象物の外周面に対して接近・離間するような弾性変形が可能な支持部と、
前記支持部の側縁から前記取付け対象物を包囲するように周方向に沿って片持ち状に延出した形態であり、前記取付け対象物の軸線方向に間隔を空けて配置され、互いに独立して拡径するような弾性変形が可能な複数の弾性保持片とを備えて構成されているところに特徴を有する。
【発明の効果】
【０００７】
外装部材を取り付け対象物に取り付ける際には、支持部を弾性変形させるとともに、複数の弾性保持片を順次に拡径変形させながら取付け対象物の外周に外嵌していく。このとき、複数の弾性保持片の全てを一斉に弾性変形させずに済むので、作業性が良い。また、外装部材を取り付け対象物に取り付けた状態では、複数の弾性保持片が取付け対象物を包囲するので、保持機能の信頼性が高い。
【図面の簡単な説明】
【０００８】
【図１】実施例１の外装部材をフィラーパイプ（取付け対象物）に取り付けた状態をあらわす側面図
【図２】外装部材をフィラーパイプに取り付ける工程をあらわす側面図
【図３】外装部材の平面図
【図４】図１のＸ−Ｘ線断面図
【図５】実施例２の外装部材をフィラーパイプ（取付け対象物）に取り付けた状態をあらわす側面図
【発明を実施するための形態】
【０００９】
（１）本発明の外装部材は、前記複数の弾性係止片が、前記支持部材の両方の前記側縁から互いに反対方向へ延びるように形成されていてもよい。この構成によれば、支持部と弾性保持片を併せた周方向の寸法を同じとした場合において、弾性保持片が支持部の一方の側縁のみから延出している場合に比べると、１つの弾性保持片の長さが短くなる。これは、１つの弾性保持片の保持力が高いことを意味するので、外装部材全体としての保持力も高くなる。
【００１０】
（２）本発明の外装部材は、前記複数の弾性保持片がスリットを介して隣り合うように軸線方向に並列して配置されていてもよい。この構成によれば、取付け対象物に対する複数の弾性保持片の当接面積が広く確保されるので、その分、保持力が高い。
【００１１】
（３）本発明の外装部材は、前記弾性保持片の延出端部が、前記取付け対象物の外周面に設けたストッパに対し周方向又は軸線方向に係止可能となっていてもよい。この構成によれば、取付け対象物に対して外装部材を周方向又は軸線方向に位置決めすることができる。
【００１２】
（４）本発明の外装部材は、前記弾性保持片の延出端部に、前記取付け対象物の外周面から離間するように外向きに曲げた形態の誘導部が形成されていてもよい。この構成によれば、弾性保持片を拡径変形させたときに弾性保持片の延出端部が取付け対象物の外周面に引っ掛かり難くなるので、作業性が向上する。
【００１３】
＜実施例１＞
以下、本発明を具体化した実施例１を図１〜図４を参照して説明する。本実施例の外装部材１０の取付け対象物は、合成樹脂材料からなる円筒形のフィラーパイプＰである。フィラーパイプＰの外周面には、一対のストッパＳが形成されている。ストッパＳは、フィラーパイプＰの外周面からリブ状に突出した形態であり、軸線方向と平行に直線状に連続して延びた周方向用位置決め部Ｓａと、周方向用位置決め部Ｓａの両端部から周方向に延出する一対の軸線方向用位置決め部Ｓｂとから構成されている。
【００１４】
外装部材１０は、フィラーパイプＰに対しその外周面を覆うように取り付けられる。フィラーパイプＰに取り付けられた外装部材１０は、フィラーパイプＰの表面への熱の伝達を抑えるインシュレータ（断熱手段）としての機能と、異物の干渉による傷付きから守るプロテクタとして機能を発揮する。
【００１５】
外装部材１０は、弾性変形可能な金属性の板材からなる単一部材である。外装部材１０をフィラーパイプＰの軸線と平行に見たときの形状（断面形状）は、周方向における一部が離れた円弧形をなしている。つまり、フィラーパイプＰの周方向における外装部材１０の形成領域は、半周以上であり、且つ全周未満である。外装部材１０は、１本の支持部１１と、１６（八対）の弾性保持片１３とを一体形成して構成されている。
【００１６】
支持部１１は、フィラーパイプＰの軸線と平行に細長く延びた帯板状をなす。支持部１１の左右両側縁１２は、フィラーパイプＰの軸線と平行に延びている。１６の弾性保持片１３は、フィラーパイプＰの周方向に沿うように円弧状に湾曲した帯板状をなし、支持部１１の右側の側縁１２と左側の側縁１２から同数本ずつ、片持ち状に延出している。支持部１１の側縁１２からの弾性保持片１３の延出寸法は、全ての弾性保持片１３で同じ寸法となっている。また、弾性保持片１３の幅寸法（フィラーパイプＰの軸線と平行な方向の寸法）も、全ての弾性保持片１３で同じ寸法となっている。各弾性保持片１３の延出端部には、フィラーパイプＰの外周面から遠ざかるように径方向外向きに屈曲した形態の誘導部１４が形成されている。
【００１７】
支持部１１の右側の側縁１２から延出した８本の弾性保持片１３は、フィラーパイプＰの軸線方向に沿って一定のピッチで並列するように配置されている。軸線方向に隣り合う右側の弾性保持片１３同士の間には、外装部材１０の外側縁１２から支持部１１に向かって切り込んだ形態のスリット１５が形成されている。スリット１５の幅寸法は、弾性保持片１３の幅寸法よりも小さい。支持部１１の左側の側縁１２から延出した８本の弾性保持片１３も、右側の弾性保持片１３と同じ均一ピッチで軸線方向に沿って並列配置されている。そして、軸線方向に隣り合う左側の弾性保持片１３同士の間にも、右側の弾性保持片１３と同様のスリット１５が形成されている。
【００１８】
支持部１１の右側の側縁１２から延出する８本の弾性保持片１３と左側の側縁１２から延出する８本の弾性保持片１３は、軸線方向と平行な仮想対称軸（図示省略）に関して対称な形態である。したがって、外装部材１０も全体としては、軸線方向と平行な仮想対称軸に関して対称な形態となっている。
【００１９】
上述のように本実施例の外装部材１０は、フィラーパイプＰの軸線方向と略平行に延びた形態でありフィラーパイプＰの外周面に対して接近・離間するような弾性変形が可能な支持部１１と、八対の弾性保持片１３とを備える。八対の弾性保持片１３は、支持部１１の両側縁１２からフィラーパイプＰを包囲するように周方向に沿って片持ち状に延出した形態であり、フィラーパイプＰの軸線方向に間隔を空けて配置され、互いに独立して拡径するような弾性変形が可能となっている。
【００２０】
外装部材１０をフィラーパイプＰに取り付ける際には、図２に示すように、支持部１１を反らせてフィラーパイプＰから遠ざけるように弾性的に湾曲変形させるとともに、スリット１５の間隔を拡げ、まず、支持部１１の一方の端部に形成されている弾性保持片１３をフィラーパイプＰに外嵌させる。このとき、フィラーパイプＰの外周面に接触している弾性保持片１３だけが、一時的に拡径するように弾性変形する。そして、拡径変形していた弾性保持片１３が縮径するように弾性復帰すると、支持部１１のうち弾性復帰する弾性保持片１３が連なっている部分が、フィラーパイプＰの外周面に接近して当接する。
【００２１】
上記のように弾性保持片１３を一時的に拡径変形させた後、縮径するように弾性復帰させる動作を、支持部１１の湾曲変形を戻しながら、支持部１１の一方の端部から他方の端部に向かって順次に行えば、外装部材１０がフィラーパイプＰの外周に取り付けられる。取り付けられた外装部材１０は、弾性復帰した弾性保持片１３により、取付け状態に保持される。
【００２２】
このように、本実施例の外装部材１０は、全ての弾性保持片１３を一斉に弾性変形させる必要がないので、作業性が良い。また、弾性保持片１３の延出端部には、フィラーパイプＰの外周面から離間するようの外向き曲げた形態の誘導部１４が形成されているので、弾性保持片１３が拡径変形するときに弾性保持片１３の延出端部がフィラーパイプＰの外周面に突き刺さったり引っ掛かったりする虞がない。これにより、作業性の更なる向上が図られている。そして、外装部材１０をフィラーパイプＰに取り付けた状態では、八対の弾性保持片１３がフィラーパイプＰを包囲するので、弾性保持片１３による保持機能の信頼性が高い。
【００２３】
また、本実施例の外装部材１０は、八対の弾性保持片１３が、支持部１１材の左右両方の側縁１２から互いに反対方向へ延びるように形成されている。この構成によれば、支持部１１と弾性保持片１３を併せた周方向の寸法を同じとした場合において、弾性保持片１３が支持部１１の左右いずれか一方の側縁１２のみから延出している場合に比べると、１つの弾性保持片１３の長さが短くなる。これは、１つの弾性保持片１３の保持力が高いことを意味するので、外装部材１０全体としての保持力も高くなる。
【００２４】
また、本実施例の外装部材１０は、８つずつの弾性保持片１３が狭いスリット１５を介して隣り合うように軸線方向に並列して配置されている。したがって、フィラーパイプＰに対する八対の弾性保持片１３の当接面積（つまり、外装部材１０がフィラーパイプＰの外周面を覆う面積）が広く確保される。これにより、外装部材１０は、フィラーパイプＰに対する保持力が高くなるだけでなく、インシュレータ（断熱手段）及びプロテクタとして機能を十分に発揮することができる。
【００２５】
また、外装部材１０をフィラーパイプＰに正しく取り付けた状態では、図１，４に示すように、八対の弾性保持片１３の延出端部が、フィラーパイプＰの外周面に突出形成した一対のストッパＳに対し周方向及び軸線方向に係止する。即ち、弾性保持片１３の延出端部が、一対の周方向用位置決め部Ｓａに対して周方向に当接して挟まれ、これにより、外装部材１０がフィラーパイプＰに対して周方向への移動を規制された状態に位置決めされる。また、軸線方向における両端に位置する弾性保持片１３が、軸線方向用位置決め部Ｓｂに対して軸線方向に当接して挟まれ、これにより、外装部材１０はフィラーパイプＰに対し軸線方向の移動を規制された状態に位置決めされる。
【００２６】
＜実施例２＞
次に、本発明を具体化した実施例２を図５を参照して説明する。尚、上記実施例１と同じ構成及び作用効果については、説明を省略する。本実施例２の外装部材２０の取付け対象物は、実施例１と同じフィラーパイプＰである。本実施例２の外装部材２０も、実施例１と同じく、は、フィラーパイプＰに対しその外周面を覆うように取り付けられる。フィラーパイプＰに取り付けられた外装部材２０は、フィラーパイプＰの表面への熱の伝達を抑えるインシュレータ（断熱手段）としての機能と、異物の干渉による傷付きから守るプロテクタとしての機能を発揮する。
【００２７】
外装部材２０は、弾性変形可能な金属材料からなる単一部材である。外装部材２０をフィラーパイプＰの軸線と平行に見たときの形状（断面形状）は、周方向における一部が離れた円弧形をなしている（図示省略）。つまり、フィラーパイプＰの周方向における外装部材２０の形成領域は、半周以上であり、且つ全周未満である。
【００２８】
外装部材２０は、全体として、軸線方向と平行な仮想対称軸（図示省略）に関して対称な形態となっている。外装部材２０は、１本の支持部２１と、二対の弾性保持片２３と、一対の板状機能部２５とを備えて構成されている。支持部２１は、フィラーパイプＰの軸線と平行に細長く延びた帯状をなす。支持部２１の左右両側縁２２は、フィラーパイプＰの軸線と平行に延びている。
【００２９】
二対の弾性保持片２３は、支持部２１の軸線方向における両端部に配置され、右側の側縁２２と左側の側縁２２から周方向に沿うように円弧状をなして片持ち状に延出している。支持部２１の側縁２２からの弾性保持片２３の延出寸法は、全ての弾性保持片２３で同じ寸法となっている。また、弾性保持片２３の幅寸法（フィラーパイプＰの軸線と平行な方向の寸法）も、全ての弾性保持片２３で同じ寸法となっている。各弾性保持片２３の延出端部には、フィラーパイプＰの外周面から遠ざかるように径方向外向きに屈曲した形態の誘導部２４が形成されている。
【００３０】
板状機能部２５は、軸線方向に間隔を空けた弾性保持片２３の間に挟まれるように配置されている。一対の板状機能部２５は、支持部２１の左右両側縁２２から周方向に沿うように円弧状をなして片持ち状に延出している。支持部２１の側縁２２からの板状機能部２５の延出寸法は、両板状機能部２５で同じ寸法となっている。また、板状機能部２５の幅寸法（フィラーパイプＰの軸線と平行な方向の寸法）も、両板状機能部２５で同じ寸法となっている。支持部２１の側縁２２からの板状機能部２５の周方向の延出寸法は、弾性保持片２３の延出寸法よりも小さく設定されている。外装部材２０をフィラーパイプＰに取り付けた状態では、板状機能部２５が、インシュレータ（断熱手段）としての機能とプロテクタとしての機能を発揮する。
【００３１】
＜他の実施例＞
本発明は上記記述及び図面によって説明した実施例に限定されるものではなく、例えば次のような実施例も本発明の技術的範囲に含まれる。
（１）上記実施例１，２では、弾性保持片を支持部の両方の側縁から延出させたが、弾性保持片は支持部のいずれか一方の側縁だけから延出する形態としてもよい。
（２）上記実施例１，２では、支持部からの弾性保持片の延出寸法を、全ての弾性保持片で同じ寸法としたが、支持部からの弾性保持片の延出寸法は不均一であってもよい。
（３）上記実施例１，２では、弾性保持片の幅寸法（フィラーパイプの軸線と平行な方向の寸法）を全て同じ寸法としたが、弾性保持片の幅寸法は不均一であってもよい。
（４）上記実施例１では、軸線方向において複数の弾性保持片を一定のピッチで並列配置したが、軸線方向における複数の弾性保持片の並列ピッチは、不均一であってもよい。
（５）上記実施例１，２では、支持部の一方の側縁から延出する弾性保持片と他方の側縁から延出する弾性保持片を、軸線方向と平行な仮想対称軸に関して対称な形態としたが、支持部の一方の側縁から延出する弾性保持片と他方の側縁から延出する弾性保持片は、周方向の延出寸法や軸線方向の幅寸法や軸線方向の配置等に関して非対称な形態であってもよい。
（６）上記実施例１，２では、弾性保持片の延出端部が、フィラーパイプ（取付け対象物）の外周面に設けたストッパに対して周方向及び軸線方向に係止するようにしたが、弾性保持片は、ストッパに対して周方向のみに係止するようにしてもよく、軸線方向のみに係止するようにしてもよい。
（７）上記実施例１，２では、弾性保持片をストッパに係止させることによって外装部材をフィラーパイプ（取り付け対象物）に対して位置決めしたが、外装部材は、支持部をストッパ係止させることによって位置決めしてもよい。
【００３２】
（８）上記実施例１，２では、弾性保持片の延出端部に、フィラーパイプ（取付け対象物）の外周面から離間するように外向きに曲げた形態の誘導部を形成したが、このような誘導部を形成しない形態としてもよい。
（９）上記実施例１，２では、取付け対象物を筒状のフィラーパイプとしたが、本発明は、取付け対象物がフィラーパイプに限らず、他の筒状の部材や軸状（中実）の部材である場合にも適用できる。
（１０）上記実施例１，２では、外装部材が、インシュレータやプロテクタとしての機能を発揮するものであったが、本発明は、インシュレータやプロテクタ以外の機能を有する外装部材にも適用できる。
（１１）上記実施例１では、弾性保持片の数を１６本（八対）としたが、弾性保持片の数は、１５本以下でも、１７本以上でもよい。
（１２）上記実施例１，２では、支持部の右側の側縁から延出する弾性保持片の本数と左側の側縁から延出する弾性保持片の本数を同じ数としたが、支持部の右側の側縁から延出する弾性保持片の本数と左側の側縁から延出する弾性保持片の本数は、異なっていてもよい。
【符号の説明】
【００３３】
Ｐ…フィラーパイプ（取付け対象物）
Ｓ…ストッパ
１０…外装部材
１１…支持部
１２…支持部の側縁
１３…弾性保持片
１４…誘導部
１５…スリット
２０…外装部材
２１…支持部
２２…支持部の側縁
２３…弾性保持片
【図１】
2015129568.tif 000003
【図２】
2015129568.tif 000004
【図３】
2015129568.tif 000005
【図４】
2015129568.tif 000006
【図５】
2015129568.tif 000007